(57)【特許請求の範囲】
【請求項１】
扉体で開閉される開口部の外枠構造が、全閉となった前記扉体の戸先部が当たる戸先側縦枠部材と、前記開口部の下端の床に配置され、前記扉体の開閉移動方向の長さを有する沓摺り部材とを含んで構成され、前記戸先側縦枠の前記扉体と対面する面に、前記扉体の閉じ側へ窪んだ凹部が形成されているとともに、前記沓摺り部材における前記戸先側縦枠部材の側の先端が前記凹部に挿入されている引戸装置において、
前記沓摺り部材の扉体厚さ方向の幅寸法が、前記凹部の扉体厚さ方向の幅寸法よりも小さくなっていることを特徴とする引戸装置。
【請求項２】
請求項１に記載の引戸装置において、前記沓摺り部材の扉体厚さ方向の中心位置と、全閉となったときの前記扉体の扉体厚さ方向の中心位置とがずれていることを特徴とする引戸装置。
【請求項３】
請求項２に記載の引戸装置において、前記沓摺り部材における前記戸先側縦枠部材の側の先部の扉体厚さ方向における一方の側面が、前記凹部の扉体厚さ方向における一方の側面に当接していることを特徴とする引戸装置。
【請求項４】
請求項２又は３に記載の引戸装置において、前記床には、前記扉体の開閉移動を案内するためのガイドローラが配設されているベース部材が設置され、前記沓摺り部材における前記戸先側縦枠部材の側とは反対側の後部の扉体厚さ方向における一方の側面が、前記ベース部材の扉体厚さ方向における一方の側面に当接していることを特徴とする引戸装置。
【請求項５】
請求項２又は３に記載の引戸装置において、前記開口部よりも扉体開き側には、この開口部を開いたときの前記扉体が収納される戸袋が設けられているとともに、この戸袋の下端に下枠が配設され、前記沓摺り部材における前記戸先側縦枠部材の側とは反対側の後部の扉体厚さ方向における一方の側面が、前記下枠の扉体厚さ方向における一方の側面に当接していることを特徴とする引戸装置。
【請求項６】
請求項５に記載の引戸装置において、前記下枠は、前記戸袋の厚さ寸法と同じ又は略同じとなっている扉体厚さ方向の幅寸法を有する本体部と、この本体部から前記戸先側縦枠部材の側へ突出し、前記本体部よりも小さい扉体厚さ方向の幅寸法を有する突出部とを備えており、前記沓摺り部材における前記戸先側縦枠部材の側とは反対側の後部の扉体厚さ方向における一方の側面は、前記突出部の扉体厚さ方向における一方の側面に当接していることを特徴とする引戸装置。
【請求項７】
請求項６に記載の引戸装置において、前記突出部の上面には、前記扉体の開閉移動を案内するためのガイドローラが配設されたベース部材が取り付けられていることを特徴とする引戸装置。
【請求項８】
請求項２又は３に記載の引戸装置において、前記開口部よりも扉体開き側には、この開口部を開いたときの前記扉体が収納される戸袋が設けられているとともに、この戸袋の前記開口部の側の端部には竪額縁部材が取り付けられ、前記沓摺り部材における前記戸先側縦枠部材の側とは反対側の後部の扉体厚さ方向における一方の側面が、前記竪額縁部材の戸袋内側の内面に当接していることを特徴とする引戸装置。
【発明の詳細な説明】
【技術分野】
【０００１】
本発明は、出入口等の開口部が扉体で開閉される引戸装置に係り、例えば、扉体がガイド手段から吊り下げられた上吊り式となっている引戸装置に利用できるものである。
【背景技術】
【０００２】
出入口等の開口部が扉体で開閉される引戸装置には、全閉となった扉体の戸先部が当たる戸先側縦枠部材が、この開口部の外枠構造を構成する部材として設置されている。この戸先側縦枠の扉体と対面する面には、下記の特許文献１に示されているように、扉体の閉じ側へ窪んだ凹部が設けられ、全閉となった扉体の戸先部がこの凹部に挿入した状態となって、この戸先部が戸先側縦枠部材に当たることにより、扉体の全閉時における扉体と戸先側縦枠部材との間の密閉性が確保されるようになっている。
【０００３】
また、下記の特許文献２に示されているように、開口部の外枠構造を構成する部材として、開口部の下端の床に、扉体の開閉移動方向の長さを有する沓摺り部材が配置され、この沓摺り部材により、全閉となった扉体で区分けされる開口部の両側の空間の床を仕切ることが行われる場合がある。
【０００４】
このように開口部の外枠構造を構成する部材として、扉体と対面する面に扉体の閉じ側へ窪んだ凹部が設けられていて、全閉となったときに扉体の戸先部が当たる戸先側縦枠部材と、扉体の開閉移動方向の長さを有していて、開口部の下端の床に配置された沓摺り部材とが用いられている従来の引戸装置では、沓摺り部材における戸先側縦枠部材の側の先端は、戸先側縦枠部材の凹部に挿入されている。
【先行技術文献】
【特許文献】
【０００５】
【特許文献１】特開２００７−１８６９７７号公報（図３）
【特許文献２】特開平１１−１７２９９４号公報
【発明の概要】
【発明が解決しようとする課題】
【０００６】
上述の従来の引戸装置において、沓摺り部材の扉体厚さ方向の幅寸法は、上述の凹部の扉体厚さ方向の幅寸法と同じになっている。このため、沓摺り部材の扉体厚さ方向の幅寸法は、凹部の扉体厚さ方向の幅寸法と同じ大きな寸法となっており、したがって、沓摺り部材を生産するためには面積等が大きい材料が必要になるなど、沓摺り部材の製造コストを低減することが難しい。
【０００７】
本発明の目的は、面積等が小さい材料で沓摺り部材を生産することが可能となり、沓摺り部材の製造コストを低減できるようになる引戸装置を提供するところにある。
【課題を解決するための手段】
【０００８】
本発明に係る引戸装置は、扉体で開閉される開口部の外枠構造が、全閉となった前記扉体の戸先部が当たる戸先側縦枠部材と、前記開口部の下端の床に配置され、前記扉体の開閉移動方向の長さを有する沓摺り部材とを含んで構成され、前記戸先側縦枠の前記扉体と対面する面に、前記扉体の閉じ側へ窪んだ凹部が形成されているとともに、前記沓摺り部材における前記戸先側縦枠部材の側の先端が前記凹部に挿入されている引戸装置において、前記沓摺り部材の扉体厚さ方向の幅寸法が、前記凹部の扉体厚さ方向の幅寸法よりも小さくなっていることを特徴とするものである。
【０００９】
本発明では、沓摺り部材の扉体厚さ方向の幅寸法が、全閉となった前記扉体の戸先部が当たる戸先側縦枠部材の扉体と対面する面に形成されている凹部の扉体厚さ方向の幅寸法よりも小さくなっているため、面積等が小さい材料により沓摺り部材を生産することが可能となり、したがって、沓摺り部材の製造コストを低減できるようになる。
【００１０】
なお、沓摺り部材は、例えば、板金の折り曲げで生産してもよく、このように沓摺り部材を板金の折り曲げ品とする場合には、面積が小さい板金により沓摺り部材を生産することができる。また、沓摺り部材は、例えば、鋳造で生産してもよく、このように沓摺り部材を鋳造品とする場合には、少ない鋳造材料により沓摺り部材を生産することができる。さらに、沓摺り部材は、例えば、押し出し成形又は引き抜き成形で生産してもよく、このように沓摺り部材を押し出し成形品又は引き抜き成形品とする場合には、少ない押し出し成形材料又は引き抜き成形材料により沓摺り部材を生産することができる。
【００１１】
また、本発明において、沓摺り部材の扉体厚さ方向の中心位置と、全閉となったときの扉体の扉体厚さ方向の中心位置とを一致させてもよく、これらの中心位置をずらしてもよい。
【００１２】
沓摺り部材の扉体厚さ方向の中心位置と、全閉となったときの扉体の扉体厚さ方向の中心位置とをずらせた場合には、扉体を全閉又は半閉とした状態でも、沓摺り部材の設置作業や、沓摺り部材及び沓摺り部材関連部材に関するメンテナンス作業等の各種作業を行えることになり、作業性を向上させることができる。
【００１３】
また、本発明において、上述したように、沓摺り部材の扉体厚さ方向の幅寸法を、全閉となった扉体の戸先部が当たる戸先側縦枠部材の扉体と対面する面に形成されている凹部の扉体厚さ方向の幅寸法よりも小さくして、この凹部の内部に、沓摺り部材における前記戸先側縦枠部材の側の先端を挿入、配置する場合においては、沓摺り部材における戸先側縦枠部材の側の先部の扉体厚さ方向における一方の側面を、凹部の扉体厚さ方向における一方の側面に当接させてもよい。
【００１４】
これによると、凹部の内部に、沓摺り部材における戸先側縦枠部材の側の先端を挿入、配置する作業を行うに際に、凹部に対して、沓摺り部材における戸先側縦枠部材の側の先部を、凹部の扉体厚さ方向における一方の側面を位置決め基準面にして、位置決めすることができることになり、このため、上述の挿入、配置作業の正確性向上や作業の容易化を達成することができる。
【００１５】
また、扉体で開閉される開口部の床に、扉体の開閉移動を案内するためのガイドローラが配設されているベース部材が設置される場合には、沓摺り部材における戸先側縦枠部材の側とは反対側の後部の扉体厚さ方向における一方の側面を、ベース部材の扉体厚さ方向における一方の側面に当接させてもよい。
【００１６】
これによると、沓摺り部材における戸先側縦枠部材の側とは反対側の後部を配置する作業を行うに際に、この後部を、ベース部材の扉体厚さ方向における一方の側面を位置決め基準面にして、位置決めすることができ、この作業の正確性向上や作業の容易化を達成することができる。
【００１７】
さらに、扉体で開閉される前述の開口部よりも扉体開き側に、この開口部を開いたときの扉体が収納される戸袋が設けられ、この戸袋の下端に下枠が配設される場合には、沓摺り部材における戸先側縦枠部材の側とは反対側の後部の扉体厚さ方向における一方の側面を、下枠の扉体厚さ方向における一方の側面に当接させてもよい。
【００１８】
これによっても、沓摺り部材における戸先側縦枠部材の側とは反対側の後部を配置する作業を行うに際に、この後部を、下枠の扉体厚さ方向における一方の側面を位置決め基準面にして、位置決めすることができ、この作業の正確性向上や作業の容易化を達成することができる。
【００１９】
なお、上述の戸袋は任意な形式のものでよく、その一例は、壁の内部に設けられている壁収納式の戸袋であり、他の例は、外部から視認できる、すなわち、外部に露出した外部露出式の戸袋である。また、戸袋は、この戸袋に収納された扉体の扉体厚さ方向両側の面を隠す両面式の戸袋でもよく、扉体厚さ方向両側の面のうち、一方の面だけを隠す片面式の戸袋でもよい。
【００２０】
また、上述の下枠の形状も任意なものでよく、その一例の下枠は、戸袋の厚さ寸法と同じ又は略同じとなっている扉体厚さ方向の幅寸法を有する本体部と、この本体部から戸先側縦枠部材の側へ突出し、本体部よりも小さい扉体厚さ方向の幅寸法を有する突出部とを備えたものである。
【００２１】
このような下枠については、沓摺り部材における戸先側縦枠部材の側とは反対側の後部の扉体厚さ方向における一方の側面を、突出部の扉体厚さ方向における一方の側面に当接させることができる。
【００２２】
また、このような下枠においては、突出部の上面に、扉体の開閉移動を案内するためのガイドローラが配設されたベース部材を取り付けてよい。
【００２３】
さらに、扉体で開閉される前述の開口部よりも扉体開き側に、この開口部を開いたときの扉体が収納される戸袋が設けられ、この戸袋の開口部の側の端部には竪額縁部材が取り付けられる場合には、沓摺り部材における前記戸先側縦枠部材の側とは反対側の後部の扉体厚さ方向における一方の側面を、竪額縁部材の戸袋内側の内面に当接させてもよい。
【００２４】
これによると、沓摺り部材における戸先側縦枠部材の側とは反対側の後部を配置する作業を行うに際に、この後部を、竪額縁部材の戸袋内側の内面を位置決め基準面にして、位置決めすることができ、この作業の正確性向上や作業の容易化を達成することができる。
【００２５】
以上説明した本発明は、任意なタイプの引戸装置に適用することができる。すなわち、本発明に係る引戸装置は、扉体がこの扉体の開閉移動を案内するガイド部材から吊り下げられた上吊り式の扉体となっているものでもよく、また、扉体の下側に配設されたガイドレール等のガイド部材に案内されて扉体が移動するものでもよく、扉体の下側と上側の両方に配設されたガイドレール等のガイド部材に案内されて扉体が移動するものでもよい。そして、扉体が上述の上吊り式の扉体となっている引戸装置の場合には、上述のガイド部材はガイドレールでもよく、スライドベアリングが用いられたスライドレール等でもよい。
【００２６】
また、本発明に係る引戸装置の扉体の個数は、１個でもよく、あるいは、開閉移動方向に並ぶことにより出入口等の開口部を閉じる複数個でもよい。扉体の個数が複数個である場合には、これらの扉体は引き違い式に配置されたものでもよく、入れ子式に配置されたもの、すなわち、扉体厚さ方向の寸法が大きい扉体の内部に、扉体厚さ方向の寸法が小さい扉体が出入自在に収納可能となっているものでもよい。
【００２７】
さらに、本発明に係る引戸装置は、扉体の開き移動と閉じ移動のうち、少なくとも一方が駆動装置で自動的に行われるものでもよく、扉体の開き移動と閉じ移動の両方が手操作で行われる手動式のものでもよい。
【発明の効果】
【００２８】
本発明によると、面積等が小さい材料で沓摺り部材を生産することが可能となり、沓摺り部材の製造コストを低減できるという効果を得られる。
【図面の簡単な説明】
【００２９】
【図１】図１は、本発明の一実施形態に係る引戸装置の全体を示す正面図である。
【図２】図２は、図１のＳ２−Ｓ２線断面図である。
【図３】図３は、図１のＳ３−Ｓ３線断面図である。
【図４】図４は、図１で示されている上枠部材の内部に収納配置されている扉体移動機構を示す正面図であって、扉体が閉じ限位置（全閉位置）まで移動したときを示す図である。
【図５】図５は、扉体が開き限位置（全開位置）まで移動したときを示す図３と同様の図である。
【図６】図６は、図１のＳ６−Ｓ６線断面図である。
【図７】図７は、沓摺り部材を配置するときの状態を示す図６と同様の図である。
【図８】図８は、沓摺り部材を配置した後に、下枠の突出部の上面にガイドローラのベース部材を配置したときを示す図６と同様の図である。
【図９】図９は、全閉時の扉体と沓摺り部材との間の密閉性を確保することができる実施形態を示す図３と同様の図である。
【図１０】図１０は、戸先側縦枠部材と上枠部材との合理的な結合を実現するための実施形態を示す図であって、戸先側縦枠部材の上部と結合される上枠部材の扉体閉じ側の端部を示す側面図である。
【図１１】図１１は、図１０のＳ１１矢視図であって、上枠部材の扉体閉じ側の端部を示す正面図である。
【図１２】図１２は、図１０のＳ１２矢視図であって、上枠部材の扉体閉じ側の端部を示す底面図である。
【図１３】図１３は、戸先側縦枠部材の上部と上枠部材の扉体閉じ側の端部とを結合したときを示す図１２と同様の図である。
【発明を実施するための形態】
【００３０】
以下に本発明を実施するための形態を図面に基づいて説明する。本実施形態に係る引戸装置は、開閉移動する扉体の個数が１個であって、この扉体が、扉体の上方に配置されたガイド部材であるガイドレールから吊り下げられた上吊り式の扉体となっており、また、開き移動した扉体が収納される戸袋が、壁の内部に設けられている壁収納式の戸袋となっている引戸装置である。
【００３１】
図１は、例えば、建物内における廊下と部屋との間に仕切り手段として配置され、扉体１で開閉される開口部が出入口２となっている本実施形態に係る引戸装置の全体を示す正面図である。この引戸装置の全体の枠組みは、無目である上枠部材１０と、扉体１が全閉位置に達して出入口２を閉じたときにこの扉体１の戸先部が当接する戸先側縦枠部材１１と、この戸先側縦枠部材１１とは扉体１の移動方向反対側に配置されている戸尻側縦枠部材１２と、これらの縦枠部材１１と１２の間に配置されているとともに、出入口２を開けたときの扉体１が収納される戸袋３における出入口２の側の端部に配置された竪額縁部材１３と、床４における戸袋３の下端に配置された下枠１４と、出入口２の下端の床４に配置され、戸先側縦枠部材１１から竪額縁部材１３まで延びている沓摺り部材１５とにより形成されている。
【００３２】
したがって、板金の折り曲げ品となっているこれらの上枠部材１０と戸先側縦枠部材１１と戸尻側縦枠部材１２と竪額縁部材１３と下枠１４と沓摺り部材１５は、引戸装置の全体の枠組みを形成するための枠部材となっている。
【００３３】
また、出入口２は、これらの枠部材１０〜１５で形成された外枠組みの内側の一部の空間となっている。本実施形態では、出入口２における床４には沓摺り部材１５が配置されているため、出入口２の外枠構造は、上枠部材１０と戸先側縦枠部材１１と竪額縁部材１３と沓摺り部材１５とにより形成された四方枠式のものとなっている。
【００３４】
また、出入口２は扉体１で開閉され、この出入口２を開けるために開き移動したときの扉体１が収納される戸袋３は、壁５の内部に設けられた壁収納型の戸袋となっている。上枠部材１０は、戸先側縦枠部材１１から戸尻側縦枠部材１２まで延びる長さを有し、上記枠部材１０〜１５のうちの１つとなっている竪額縁部材１３は、戸袋３における出入口２の側の見切り部材となっている。
【００３５】
また、壁５の内部に設けられている戸袋３は、図１のＳ２−Ｓ２線断面図である図２で示されているように、ハット形状の断面が上枠部材１０及び下枠１４の長手方向（図１では左右方向）に連続している補強部材２０によって補強された構造となっており、板金の折り曲げ成形品となっているこの補強部材２０は、扉体１の厚さ方向でもある戸袋３の厚さ方向の両側に設けられているとともに、縦枠部材１１，１２及び竪額縁部材１３の長手方向でもある上下方向に複数個配設されている。そして、これらの補強部材２０の上下において、石膏ボード等で形成された内側壁材２１が両面粘着テープ等による結合具で補強部材２０に結合され、これらの内側壁材２１の外側に、大面積の石膏ボードで形成された外側壁材２２が配置され、補強部材２０にビスやステープル等の結合具で結合されているこの外側壁材２２の表面に、クロス等の壁仕上げ材が取り付けられている。
【００３６】
このため、これらの内側壁材２１と外側壁材２２と壁仕上げ材により、戸袋３の部分の壁５が形成され、戸袋３は、補強部材２０が構造材となって壁５の内部に形成されている。この壁５は、図１から分かるように、上枠部材１０の上側や、戸先側縦枠部材１１に対して出入口２とは反対側の部分、戸尻側縦枠部材１２に対して戸袋３とは反対側にも設けられている。壁５のこれらの部分の表面は、戸袋３における壁５の部分の表面と面一状態となっている。
【００３７】
図３は図１のＳ３−Ｓ３線断面図である。この図３で示されているように、上枠部材１０は、上枠部材１０の上側の壁５の下地材２７にアンカー部材２８を介して結合された上面部１０Ａと、この上面部１０Ａにおける上枠部材１０の幅方向（図３では左右方向）の一方の端部から垂下した垂下部１０Ｂと、この垂下部１０Ｂの下端から上枠部材１０の幅方向の外側へ延出した壁材見切り部１０Ｃと、この壁材見切り部１０Ｃの先端から起立した起立部１０Ｄと、この起立部１０Ｄから垂下部１０Ｂの側へ屈曲した屈曲部１０Ｅとを有する。これらの上面部１０Ａと垂下部１０Ｂと壁材見切り部１０Ｃと起立部１０Ｄと屈曲部１０Ｅのうち、上面部１０Ａと垂下部１０Ｂは、上枠部材１０の全長に渡って連続して設けられ、壁材見切り部１０Ｃと起立部１０Ｄと屈曲部１０Ｅは、出入口２と対応する部分だけに設けられている。そして、壁材見切り部１０Ｃの上側に、壁５における垂下部１０Ｂの幅方向外側の部分を形成する内側壁材２９と外側壁材３０が配置され、これらの内側壁材２９と外側壁材３０は、壁材見切り部１０Ｃとは上枠部材１０の幅方向反対側において、上枠部材１０の上側にも配置されている。そして、壁材見切り部１０Ｃの上側に配置された内側壁材２９と外側壁材３０は、図２における戸袋３の左側では、図２で示されている内側壁材２１と外側壁材２２となっている。
【００３８】
また、図３に示されているように、上枠部材１０の上面部１０Ａにおける垂下部１０Ｂとは反対側の幅方向の端部には、僅かに下方へ延びた下方延出部１０Ｆが形成され、この下方延出部１０Ｆの下端には、斜め上方であって、上記壁材見切り部１０Ｃとは反対側の幅方向外側へ延出した傾斜延出部１０Ｇが設けられている。これらの延出部１０Ｆ，１０Ｇ及び後述する点検カバー３１と対応する高さ位置における戸袋３の上部箇所には、図１で示されている上下複数個の前記補強部材２０のうち、最上部の補強部材２０Ａが配置されている。
【００３９】
図３で示されている下方延出部１０Ｆの下方への延出量は小さいため、この下方延出部１０Ｆの下側は、上枠部材１０の開口部１０Ｈとなっており、この開口部１０Ｈから、上枠部材１０の内部空間に収納配置されている扉体移動機構についての点検及び整備を含む各種の作業を行えるようになっている。
【００４０】
通常時の開口部１０Ｈは点検カバー３１で塞がれており、この点検カバー３１は、上端に斜め下向きに形成され、上枠部材１０の傾斜延出部１０Ｇに係止される係止部３１Ａと、この係止部３１Ａから鉛直又は略鉛直下向きに延びている正面部３１Ｂと、この正面部３１Ｂの下端から上枠部材１０の内側へ水平又は略水平に屈曲している下面部３１Ｃと、この下面部３１Ｃの先端から立ち上がった立上部３１Ｄとを有する。係止部３１Ａと下面部３１Ｃと立上部３１Ｄにより、板金の折り曲げで形成されている点検カバー３１の全体の剛性が確保されている。
【００４１】
前述の開口部１０Ｈを塞いでいるときの点検カバー３１は、図３で示されているとおり、係止部３１Ａが上枠部材１０の傾斜延出部１０Ｇに係止され、これにより点検カバー３１の重量が上枠部材１０で支持されている。また、図１で示されているとおり、戸先側縦枠部材１１と竪額縁部材１３に取り付けられているブラケット３２，３３に、点検カバー３１の下面部３１Ｃがねじ部材３４，３５で止められている。
【００４２】
前述した扉体移動機構についての点検等の作業を行うために、点検カバー３１を取り外して上枠部材１０の上記開口部１０Ｈを開けるときには、ねじ部材３４，３５を取り外し、これにより、点検カバー３１は、上端の係止部３１Ａを中心に上枠部材１０の内外方向に揺動可能となるため、点検カバー３１を上枠部材１０の外側方向へ揺動させることにより、係止部３１Ａを上枠部材１０の傾斜延出部１０Ｇから抜き取る。なお、本実施形態では、図３で示されているように、上枠部材１０の傾斜延出部１０Ｇには、点検カバー３１の係止部３１Ａがこの傾斜延出部１０Ｇに直接接触することを防止するゴムや合成樹脂等による冠部材４０が被せられ、これにより、上枠部材１０と点検カバー３１の材料である金属同士が直接接触して点検カバー３１の取付作業時や取外作業時等において異音が発生することや、上枠部材１０及び／又は点検カバー３１に傷が生ずること等を防止している。
【００４３】
次に、上枠部材１０の内部空間に収納配置されている前述の扉体移動機構について説明する。図４は、この扉体移動機構によって扉体１が閉じ限位置に達しているときを示し、図５は、扉体１が開き限位置に達しているときを示している。
【００４４】
図４に示すように、上枠部材１０の内部には扉体１の移動を案内するためのガイド部材であるガイドレール５０が組み込まれ、上記扉体移動機構の主要な構成部材となっていて、上枠部材１０の略全長に渡る長さを有するこのガイドレール５０は、図３に示すとおり、上枠部材１０の内面にビス５１で取り付けられている。同一断面形状が長さ方向に連続しているこのガイドレール５０は、ビス５１で上枠部材１０の垂下部１０Ｂの内面に取り付けられた基部５０Ａと、この基部５０Ａの下端から扉体１の厚さ方向（上枠部材１０の厚さ方向内側）に水平に延びるアーム部５０Ｂと、このアーム部５０Ｂの先端から垂直に立ち上がった係合部５０Ｃとを有する。
【００４５】
図４で示すように、扉体１には、扉体１の上面に結合されたローラブラケット５３，５４に回転自在に取り付けられた２個のローラ５５，５６が扉体１の開閉移動方向に配設され、ローラブラケット５３，５４を介して扉体１の上方に配置されているこれらのローラ５５，５６は、図３に示すように、扉体１の上方に不動部材となって水平に架設されてガイドレール５０の係合部５０Ｃに係合している。このため、扉体１は、ローラ５５，５６が係合部５０Ｃ上を転動することによりガイドレール５０に沿って開閉移動するとともに、扉体１は、ガイドレール５０にローラ５５，５６及びローラブラケット５３，５４を介して吊り下げられた上吊り式となっている。
【００４６】
また、図１に示すように、戸袋３に近い前記出入口２の床４には、垂直軸を中心に回転自在となったガイドローラ５７が配置され、このガイドローラ５７は、図３に示すとおり、扉体１の下端に下向きに開口して配置されたチャンネル部材１Ｂの内部に挿入されており、ガイドレール５０に沿った扉体１の開閉移動は、扉体１の下端がこのガイドローラ５７に案内されながら行われる。
【００４７】
図４に示されているように、ガイドレール５０の扉体開き移動方向の端部には、扉体１を開き限位置（全開位置）に停止させるためのストップ装置７０が取り付けられ、このストップ装置７０は、扉体閉じ方向に向けて本体７１に突設されたゴム等の弾性材料からなるストップ部材７２と、本体７１に取り付けられ、板ばねの折り曲げで形成されている係止部材７３とを有する。一方、扉体１に設けられている２個のローラブラケット５３，５４のうち、扉体開き方向に配置されたローラブラケット５４の後端には板状の受け部材７４が結合され、この受け部材７４には、小径ローラによる被係止部材７５が取り付けられている。
【００４８】
扉体１を、図１で示す把持部１Ａを握った手により開き方向に移動させ、この移動が開き限位置に達すると、図５に示されているように、被係止部材７５は、一旦上向きに湾曲変形してもとの形状に弾性復帰する係止部材７３に係止されるとともに、受け部材７４はストップ部材７２に当接し、係止部材７３が被係止部材７５を係止することにより、扉体１は開き限位置に停止する。
【００４９】
また、扉体１の把持部１Ａに扉体閉じ方向への手操作力を作用させた場合には、被係止部材７５は上向きに弾性変形する係止部材７３から離脱するため、扉体１は、ガイドレール５０とガイドローラ５７に案内されて閉じ方向へ移動する。
【００５０】
また、図４及び図５に示されているように、ガイドレール５０の扉体閉じ方向の端部には、扉体１を自動的に閉じ移動させるための駆動装置８０が配置され、この駆動装置８０は、図５で示されているとおり、駆動装置８０のブラケット８１がガイドレール５０に取り付けられることにより、ガイドレール５０に組み付けられている。
【００５１】
駆動装置８０は、装置本体となっているケーシング８０Ａの内部に回転自在に収納されたリール８３を有し、このリール８３の内部には渦巻きばねが配置され、この渦巻きばねの一端はリール８３に結合されているとともに、他端はケーシング８０Ａに結合されている。また、リール８３には、図４及び図５で示されているナイロン紐又はワイヤー等からなる紐状部材８４が巻回されているとともに、この紐状部材８４の一端がリール８３に結合され、この紐状部材８４はケーシング８０Ａから導出され、紐状部材８４の他端は、扉体１に２個設けられているローラブラケット５３，５４のうち、扉体閉じ方向に配置されたローラブラケット５３に結合されている。
【００５２】
図４で示すように閉じ限位置（全閉位置）に達している扉体１を把持部１Ａにより図５で示すように開き方向へ移動させたときには、紐状部材８４がリール８３を回転させながら駆動装置８０から繰り出され、このとき、リール８３の内部の上記渦巻きばねがリール８３の回転で蓄圧されるようになっている。このため、この後に把持部１Ａから手を離すと（扉体１が図５のように閉じ限位置に達しているときには、前述したように、把持部１Ａに扉体閉じ方向への手操作力を作用させて被係止部材７５を係止部材７３から離脱させると）、渦巻きばねの蓄圧力によってリール８３には、扉体１の開き移動時とは逆方向へリール８３を回転させようとする回転力が生じているため、この回転力で緊張している紐状部材８４の引張力により扉体１は閉じ方向へ引っ張られ、これにより、扉体１は閉じ限位置まで自動的に移動する。
【００５３】
図４及び図５に示すように、ガイドレール５０には、閉じ方向への扉体１の移動速度を低速化させて制動させ、扉体１を閉じ限位置に減速させて到達させるための制動装置９０が取り付けられている。この制動装置９０は、シリンダ本体９１と、シリンダ本体９１にガイドレール５０の長さ方向に伸縮自在に挿入されたピストンロッド９２とを有するシリンダ装置で構成され、シリンダ本体９１は、不動部材となっているガイドレール５０に取り付けられている。この取り付けは、図３に示すとおり、ガイドレール５０の溝５０Ｄ付きの取付部５０Ｅにビス９３と板ナット９３Ａにより行われている。
【００５４】
図４及び図５で示すように、扉体１に２個設けられているローラブラケット５３，５４のうち、扉体開き移動方向に配置されたローラブラケット５４には、ピストンロッド９２の先端部が挿抜自在となったキャッチ部材９４が取り付けられ、ピストンロッド９２の先端部と、この先端部が挿入されるキャッチ部材９４の内部とのうち、一方には磁石が設けられ、他方にはこの磁石に吸着する磁性材料が設けられている。このため、ピストンロッド９２とキャッチ部材９４とは、磁力で接続分離自在となっている。
【００５５】
図４に示すように扉体１が閉じ限位置に達しているときには、シリンダ本体９１に対して収縮しているピストンロッド９２の先端部がキャッチ部材９４の内部に挿入された状態になっており、扉体１を開き方向へ移動させると、ピストンロッド９２の先端部とキャッチ部材９４とが上記磁力で接続されているため、ピストンロッド９２はシリンダ本体９１に対して伸び作動する。このピストンロッド９２が伸び作動限に達してもさらに扉体１が開き方向に移動すると、図５に示すように、ピストンロッド９２とキャッチ部材９４とが分離し、ピストンロッド９２はその位置で停止する。また、扉体１が前述の引張式駆動装置８０の駆動力で閉じ方向へ移動し始め、そして扉体１が所定位置に達すると、キャッチ部材９４はピストンロッド９２に当接してこれらのキャッチ部材９４とピストンロッド９２とが上記磁力で再度接続され、扉体１がさらに閉じ方向へ移動することにより、ピストンロッド９２はシリンダ本体９１に対して収縮作動する。
【００５６】
なお、ピストンロッド９２の先端部と、この先端部が挿入されるキャッチ部材９４の内部とに互いに磁性が逆となった磁石を設けることにより、ピストンロッド９２とキャッチ部材９４とを上述と同様に接続分離自在としてもよい。
【００５７】
シリンダ本体９１には、ピストンロッド９２が伸び作動したときに多量のエアをシリンダ本体９１の内部に吸引し、ピストンロッド９２が収縮作動したときにはこのエアを絞りながら排出するバルブが設けられている。このため、ピストンロッド９２が伸び作動する扉体１の開き移動時には、扉体１を軽く移動させることができ、また、ピストンロッド９２が収縮作動する扉体１の閉じ移動時には、扉体１がシリンダ本体９１の内部のエア圧力によって制動されながら移動し、これにより、扉体１は、減速された速度で閉じ限位置に達するようになっている。
【００５８】
このため、本実施形態における制動装置９０は、シリンダ装置による流体圧力式制動装置となっている。
【００５９】
なお、扉体１を自動的に閉じ移動させるための本実施形態に係る駆動装置８０は、前述したように、渦巻きばねとリールと紐状部材による引っ張り式のものであったが、この駆動装置はリニアモータによるものでもよい。また、リニアモータ等による駆動装置により、扉体１の閉じ移動と開き移動の両方を行わせ、この駆動装置により扉体１の閉じ移動と開き移動の両方を自動移動としてもよい。
【００６０】
また、閉じ方向への扉体１の移動速度を低速化させるための本実施形態に係る制動装置９０は、シリンダ装置によるものとなっていたが、この制動装置を、扉体１の閉じ移動がラック及びピニオンを介して回転運動として伝達されるロータリ式のオイルダンパーによるものとしてもよい。
【００６１】
図６は、図１のＳ６−Ｓ６線断面図である。前述した戸先側縦枠部材１１は、壁５の下地材６０にアンカー部材６１を介して結合されているとともに、戸尻側縦枠部材１２は、壁５の下地材６２にアンカー部材６３を介して結合されている。また、図１及び図２で説明した壁５の補強部材２０は、図６に示されているように、前述した竪額縁部材１３と戸尻側縦枠部材１２との間に架け渡されており、上下方向に複数個設けられているこれらの補強部材２０の扉体開閉移動方向両端部のうち、扉体閉じ方向端部は、竪額縁部材１３にビス等の結合具６４で結合され、扉体開き方向端部は、戸尻側縦枠部材１２にビス等の結合具６５で結合されている。
【００６２】
出入口２よりも扉体１の開き側に設けられていて、この出入口２を開けるために開き移動した扉体１が収納される前述の戸袋３は、壁５の内部に設けられている壁収納型の戸袋となっているため、この戸袋３は、扉体１の扉体厚さ方向両側の面を隠す両面式の戸袋となっており、そして、戸袋３における出入口２の側の端部に配置されている竪額縁部材１３は、戸袋３の厚さ方向両側（扉体１の厚さ方向両側）に設けられている。
【００６３】
また、図６に示されているように、戸先側縦枠部材１１の出入口２の側に向いている面１１Ａには、言い換えると、戸先側縦枠部材１１の扉体１と対面する面１１Ａには、扉体１の閉じ側へ窪んだ凹部１１Ｂが形成され、この凹部１１Ｂの内部に、図１で説明した出入口２の外枠構造を構成する部材となっている沓摺り部材１５における戸先側縦枠部材１１の側の先端が挿入され、扉体１の開閉移動方向の長さを有しているこの沓摺り部材１５は、戸先側縦枠部材１１から竪額縁部材１３まで達している。このような沓摺り部材１５により、全閉となった扉体１で区分けされる出入口２の両側の空間の床が仕切られているとともに、扉体１のゴムや軟質合成樹脂等で形成されている戸先部１Ｃが凹部１１Ｂの底部に当たって扉体１が戸先側縦枠部材１１に当接し、扉体１が全閉となることにより、この全閉時における扉体１と戸先側縦枠部材１１との間の密閉性が確保されるようになっている。
【００６４】
また、戸袋３に下端に配置されている図１で説明した下枠１４は、図６に示されているように、戸袋３の厚さ寸法と同じ又は略同じとなっている扉体厚さ方向の幅寸法を有する本体部１４Ａと、この本体部１４Ａから戸先側縦枠部材１１の側へ突出し、本体部１４Ａよりも小さい扉体厚さ方向の幅寸法を有する突出部１４Ｂとからなり、本体部１４Ａの扉体厚さ方向中心位置と突出部１４Ｂの扉体厚さ方向中心位置は、一致している。突出部１４Ｂの先部の上面には、図１及び図３で示されている前述のガイドローラ５７を床４に設置するためのベース部材５７Ａが配置され、図３にも示されているように、突出部１４Ｂの先部の上面に止着具５７Ｂで取り付けられたベース部材５７Ａには、支柱５７Ｃが立設されており、この支柱５７Ｃの上部にガイドローラ５７が水平回転自在に配置されている。
【００６５】
ベース部材５７Ａの扉体厚さ方向の幅寸法は、突出部１４Ｂの扉体厚さ方向の幅寸法と同じであり、突出部１４Ｂの扉体厚さ方向両側の端縁とベース部材５７Ａの扉体厚さ方向両側の端縁とが一致して、突出部１４Ｂの先部の上面にベース部材５７Ａが載せられて、このベース部材５７Ａは突出部１４Ｂに止着具５７Ｂで取り付けられている。
【００６６】
また、図３に示されているように、本実施形態に係る沓摺り部材１５は、開口側が下向きとなった断面チャンネル形状の部材となっており、板金の折り曲げ品となっているこの沓摺り部材１５の扉体厚さ方向の幅寸法はＷ１となっており、この幅寸法Ｗ１は、図６に示されているように、扉体１の開閉移動方向である沓摺り部材１５の全長に渡って連続している。
【００６７】
一方、図６に示されているように、戸先側縦枠部材１１の凹部１１Ｂについての扉体厚さ方向の幅寸法はＷ２であり、Ｗ１はＷ２よりも小さい。そして、全閉位置に達しているときの扉体１の扉体厚さ方向の中心位置はＣ１であり、これに対して沓摺り部材１５の扉体厚さ方向の中心位置はＣ２であり、Ｃ１に対してＣ２は扉体１の厚さ方向にずれている。
【００６８】
本実施形態では、沓摺り部材１５における戸先側縦枠部材１１の側の先部１５Ｂの扉体厚さ方向における一方の側面１５Ｃが、戸先側縦枠部材１１の凹部１１Ｂの扉体厚さ方向における一方の側面１１Ｃに当接しているとともに、沓摺り部材１５における戸先側縦枠部材１１の側とは反対側の後部１５Ｄの扉体厚さ方向における一方の側面１５Ｅが、下枠１４の突出部１４Ｂの扉体厚さ方向における一方の側面１４Ｃに当接しており、また、沓摺り部材１５の後部１５Ｄの扉体厚さ方向における一方の側面１５Ｅは、ベース部材５７Ａの扉体厚さ方向における一方の側面５７Ｄにも当接している。さらに、沓摺り部材１５の後部１５Ｄの扉体厚さ方向における他方の側面１５Ｆは、出入口２を開いたときの扉体１が収納される戸袋３の出入口２側の見切り部材となっている竪額縁部材１３の戸袋内側の内面１３Ａに当接している。沓摺り部材１５の後部１５Ｄの両方の側面１５Ｅ，１５Ｆについての当接状態は、図３にも示されている。
【００６９】
図３に示されているように、出入口２での床４は、床スラブによるベース部４Ａの上に、モルタルの打設で形成された仕上げ部４Ｂを設けたものとなっている。沓摺り部材１５を戸先側縦枠部材１１と竪額縁部材１３との間に配置する作業を行う場合には、この配置作業を行う前に、沓摺り部材１５の配置場所及びこの配置場所の近辺を除いた領域にモルタルの打設作業を行い、この後に、沓摺り部材１５を上述した当接状態にして図３及び図６で示す所定の位置に配置する作業を行い、次いで、残りのモルタルを沓摺り部材１５に接触する位置まで打設する作業を行う。
【００７０】
これにより、沓摺り部材１５は、沓摺り部材１５で区分けされる扉体厚さ方向両側のモルタルの見切り部材となる。
【００７１】
なお、以上の沓摺り部材１５の配置作業は、扉体１を前述したガイドレール５０に吊り下げる作業を行う前に行われるが、この沓摺り部材１５の配置作業は、下枠１４の突出部１４Ｂの先部の上面に、ガイドローラ５７のベース部材５７Ａを配置する前に行ってもよく、配置した後に行ってもよい。
【００７２】
図７は、沓摺り部材１５の配置作業を、下枠１４の突出部１４Ｂの先部の上面に、ガイドローラ５７のベース部材５７Ａを配置する前に行う場合を示している。すなわち、沓摺り部材１５を戸先側縦枠部材１１と竪額縁部材１３との間に配置するときには、戸先側縦枠部材１１の凹部１１Ｂの内部に沓摺り部材１５における戸先側縦枠部材１１の側の先端を挿入するとともに、この沓摺り部材１５における戸先側縦枠部材１１の側の先部１５Ｂの扉体厚さ方向における一方の側面１５Ｃを、戸先側縦枠部材１１の凹部１１Ｂの扉体厚さ方向における一方の側面１１Ｃに当接させるとともに、沓摺り部材１５における戸先側縦枠部材１１の側とは反対側の後部１５Ｄの扉体厚さ方向における一方の側面１５Ｅを、下枠１４の突出部１４Ｂの扉体厚さ方向における一方の側面１４Ｃに当接させ、また、沓摺り部材１５の後部１５Ｄの扉体厚さ方向における他方の側面１５Ｆを、竪額縁部材１３の戸袋内側の内面１３Ａに当接させる。
【００７３】
これによると、沓摺り部材１５の配置作業を、凹部１１Ｂの側面１１Ｃと、下枠１４の突出部１４Ｂの側面１４Ｃ及び竪額縁部材１３の戸袋内側の内面１３Ａとを位置決め基準面にして、位置決めしながら行うことができ、このため、沓摺り部材１５の先端を戸先側縦枠部材１１の凹部１１Ｂに挿入する作業や、沓摺り部材１５を戸先側縦枠部材１１と竪額縁部材１３との間に配置する作業を、作業の正確性向上や作業の容易化を達成して行うことができる。
【００７４】
以上の作業の後、図８に示すように、下枠１４の突出部１４Ｂの先部の上面にガイドローラ５７のベース部材５７Ａを配置する作業を行う。
【００７５】
なお、下枠１４の突出部１４Ｂの先部の上面にガイドローラ５７のベース部材５７Ａを配置する作業を行った後に、沓摺り部材１５の先端を戸先側縦枠部材１１の凹部１１Ｂに挿入する作業や、沓摺り部材１５を戸先側縦枠部材１１と竪額縁部材１３との間に配置する作業を行ってもよい。この場合には、図８に示されているように、沓摺り部材１５の後部１５Ｄの扉体厚さ方向における一方の側面１５Ｅを、下枠１４の突出部１４Ｂの扉体厚さ方向における一方の側面１４Ｃと、ベース部材５７Ａの扉体厚さ方向における一方の側面５７Ｄとの両方に当接させる。
【００７６】
本実施形態では、沓摺り部材１５の前述した幅寸法Ｗ１は、下枠１４の突出部１４Ｂの扉体厚さ方向における一方の側面１４Ｃ及びベース部材５７Ａの扉体厚さ方向における一方の側面５７Ｄと、竪額縁部材１３の戸袋内側の内面１３Ａとの間の間隔と同じであったため、沓摺り部材１５の後部１５Ｄの扉体厚さ方向における一方の側面１５Ｅを、下枠１４の突出部１４Ｂの扉体厚さ方向における一方の側面１４Ｃと、ベース部材５７Ａの扉体厚さ方向における一方の側面５７Ｄとの両方に当接させ、かつ、沓摺り部材１５の後部１５Ｄの扉体厚さ方向における他方の側面１５Ｆを、竪額縁部材１３の戸袋内側の内面１３Ａに当接させたが、沓摺り部材１５の前述した幅寸法Ｗ１が、下枠１４の突出部１４Ｂの扉体厚さ方向における一方の側面１４Ｃ及びベース部材５７Ａの扉体厚さ方向における一方の側面５７Ｄと、竪額縁部材１３の戸袋内側の内面１３Ａとの間の間隔よりも小さい場合には、沓摺り部材１５の後部１５Ｄの扉体厚さ方向における一方の側面１５Ｅを、下枠１４の突出部１４Ｂの扉体厚さ方向における一方の側面１４Ｃと、ベース部材５７Ａの扉体厚さ方向における一方の側面５７Ｄとの両方に当接させることと、沓摺り部材１５の後部１５Ｄの扉体厚さ方向における他方の側面１５Ｆを、竪額縁部材１３の戸袋内側の内面１３Ａに当接させることとのうち、一方だけを実施してもよい。
【００７７】
また、沓摺り部材１５の先端を戸先側縦枠部材１１の凹部１１Ｂに挿入する作業や、沓摺り部材１５を戸先側縦枠部材１１と竪額縁部材１３との間に配置する作業が、下枠１４の突出部１４Ｂの先部の上面にガイドローラ５７のベース部材５７Ａを配置する作業を行う前に行われる場合には、沓摺り部材１５の後部１５Ｄの扉体厚さ方向における一方の側面１５Ｅを、下枠１４の突出部１４Ｂの扉体厚さ方向における一方の側面１４Ｃに当接させることと、沓摺り部材１５の後部１５Ｄの扉体厚さ方向における他方の側面１５Ｆを、竪額縁部材１３の戸袋内側の内面１３Ａに当接させることとのうち、一方だけを実施させてもよい。
【００７８】
さらに、沓摺り部材１５の先端を戸先側縦枠部材１１の凹部１１Ｂに挿入する作業や、沓摺り部材１５を戸先側縦枠部材１１と竪額縁部材１３との間に配置する作業が、下枠１４の突出部１４Ｂの先部の上面にガイドローラ５７のベース部材５７Ａを配置する作業を行った後に行われる場合であって、ベース部材５７Ａの扉体厚さ方向の幅寸法が突出部１４Ｂの扉体厚さ方向の幅寸法と同じになっておらず、これらの幅寸法に相違があるために、ベース部材５７Ａと突出部１４Ｂのうちの一方が沓摺り部材１５の配置側に突出している場合には、沓摺り部材１５の後部１５Ｄの扉体厚さ方向における一方の側面１５Ｅを、ベース部材５７Ａと突出部１４Ｂのうち、沓摺り部材１５の配置側に突出している一方の側面に当接させてもよい。
【００７９】
以上説明した本実施形態によると、沓摺り部材１５の扉体厚さ方向の幅寸法Ｗ１が、戸先側縦枠部材１１の扉体１と対面する面１１Ａに形成されている凹部１１Ｂの扉体厚さ方向の幅寸法Ｗ２よりも小さくなっているため、Ｗ１がＷ２と同じになっている場合と比較して、板金の折り曲げ品となっている沓摺り部材１５を面積が小さい板金により生産できるようになり、したがって、沓摺り部材１５の製造コストを低減できるようになる。
【００８０】
また、沓摺り部材１５の扉体厚さ方向の中心位置Ｃ２と、全閉となったときの扉体１の扉体厚さ方向の中心位置Ｃ１とがずれているため、沓摺り部材１５の扉体厚さ方向の少なくとも一部が、全閉時や半閉時における扉体１から扉体厚さ方向にはみ出した状態になっており、このため、扉体１が全閉や半閉となっているときでも、沓摺り部材１５及び沓摺り部材関連部材に関するメンテナンス作業等の各種作業を行えることになり、作業性を向上させることができる。
【００８１】
さらに、ガイドローラ５７のベース部材５７Ａは、沓摺り部材１５の上面に取り付けられておらず、下枠１４の突出部１４Ｂに取り付けられているため、沓摺り部材１５の交換作業やメンテナンス作業を、ガイドローラ５７及びベース部材５７Ａと無関係に行えることになり、この点でも作業性を向上させることができる。
【００８２】
図９は、全閉時の扉体１と沓摺り部材１５との間の密閉性を確保することができる実施形態を示している。この実施形態では、扉体１の下面のうち、沓摺り部材１５と上下に対面する箇所にモヘヤ等による密閉部材１Ｄが取り付けられ、この密閉部材１Ｄは、扉体１の全長に渡って設けられている。扉体１が全閉位置に達すると、密閉部材１Ｄは沓摺り部材１５の上面に接触し、これにより、全閉時における扉体１と沓摺り部材１５との間の密閉性が確保されることになる。
【００８３】
図１０〜図１３は、戸先側縦枠部材１１と前述の上枠部材１０との合理的な結合構造を実現するための実施形態を示しており、図１０は、戸先側縦枠部材１１の上部と結合される上枠部材１０の扉体閉じ側の端部を示す側面図であり、図１１は、図１０のＳ１１矢視図であって、上枠部材１０の扉体閉じ側の端部を示す正面図であり、図１２は、図１０のＳ１２矢視図であって、上枠部材１０の扉体閉じ側の端部を示す底面図である。また、図１３は、戸先側縦枠部材１１の上部と上枠部材１０の扉体閉じ側の端部とを結合したときにおける上枠部材１０の扉体閉じ側の端部を示す底面図である。
【００８４】
図１０に示されているように、上枠部材１０の内部にはブラケット１００が配置され、このブラケット１００は、図３で示した上枠部材１０の垂下部１０Ｂに溶接等で結合されたベース部１００Ａと、このベース部１００Ａから直角に屈曲し、上枠部材１０の下方延出部１０Ｆ及び傾斜延出部１０Ｇの側へ延出した延出部１００ＢとからなるＬ字形状である。この延出部１００Ｂはベース部１００Ａを越えて下方へ延びる上下長さを有しており、このため、延出部１００Ｂと上枠部材１０の垂下部１０Ｂとの間には、上向きに切り込まれた切込部１０１が形成されている。
【００８５】
図１１及び図１２に示されているように、上枠部材１０の垂下部１０Ｂと壁材見切り部１０Ｃと起立部１０Ｄと屈曲部１０Ｅの扉体閉じ側の端縁１０Ｊは、上枠部材１０の上面部１０Ａと下方延出部１０Ｆと傾斜延出部１０Ｇの扉体閉じ側の端縁１０Ｉに対して扉体開き側へ後退しており、端縁１０Ｊと同じ扉体開閉移動方向の位置において、下方延出部１０Ｆ及び傾斜延出部１０Ｇには、上面部１０Ａまで達する切込部１０２が形成されている。また、ブラケット１００の延出部１００Ｂは、端縁１０Ｊ及び切込部１０２の位置を扉体閉じ側へ越えて端縁１０Ｉに近づいた位置に配置されている。
【００８６】
図１３に示されているように、戸先側縦枠部材１１の前述した凹部１１Ｂは、ブラケット１００の延出部１００Ｂの扉体閉じ側の外面１００Ｃにあてがわれ、戸先側縦枠部材１１における凹部１１Ｂ及びこの凹部１１Ｂから切込部１０２に対応する位置までは、上枠部材１０の上面部１０Ａの下面に当接しているが、戸先側縦枠部材１１における切込部１０２に対応する位置から戸先側縦枠部材１１における一方の端部１１Ｄまでは、切込部１０２への差し込みにより、上枠部材１０の上面部１０Ａの上面と同じ高さ位置に達している。また、戸先側縦枠部材１１における凹部１１Ｂからブラケット１００のベース部１００Ａに対応する位置までは、切込部１０１に差し込まれることにより、この切込部１０１の上端まで達しており、戸先側縦枠部材１１におけるブラケット１００のベース部１００Ａに対応する位置から戸先側縦枠部材１１における他方の端部１１Ｅまでは、切込部１０１への差し込みにより、上枠部材１０の上面部１０Ａの上面と同じ高さ位置に達している。
【００８７】
以上を言い換えると、戸先側縦枠部材１１の上端は段付き形状となっており、これにより、戸先側縦枠部材１１の上端には、上枠部材１０の上面部１０Ａの上面と同じ高さ位置に達している部分と、上枠部材１０の上面部１０Ａの下面に当接している部分と、切込部１０１の上端に当接している部分とがある。
【００８８】
戸先側縦枠部材１１の前述した凹部１１Ｂは、ブラケット１００の延出部１００Ｂの扉体閉じ側の外面１００Ｃに溶接又はボルト、ナット等の結合具で結合され、これにより、戸先側縦枠部材１１の上部と上枠部材１０の扉体閉じ側の端部とがブラケット１００を介して結合されることになる。
【産業上の利用可能性】
【００８９】
本発明は、扉体で開閉される出入口等の開口部の下端に沓摺り部材が配置され、扉体が、例えば、ガイド手段から吊り下げられた上吊り式となっている引戸装置に利用することができる。
【符号の説明】
【００９０】
１  扉体
１Ｃ  戸先部
２  開口部である出入口
３  戸袋
４  床
１１  戸先側縦枠部材
１１Ａ  戸先側縦枠部材の扉体と対面する面
１１Ｂ  凹部
１１Ｃ  側面
１３  竪額縁部材
１３Ａ  戸袋内側の内面
１４  下枠
１４Ａ  本体部
１４Ｂ  突出部
１４Ｃ  側面
１５  沓摺り部材
１５Ｂ  先部
１５Ｃ  側面
１５Ｄ  後部
１５Ｅ，１５Ｆ  側面
Ｗ１  沓摺り部材の扉体厚さ方向の幅寸法
Ｗ２  凹部の扉体厚さ方向の幅寸法
Ｃ１  全閉となったときの扉体の扉体厚さ方向の中心位置
Ｃ２  沓摺り部材の扉体厚さ方向の中心位置
【図１】
0005706242.tif 000002
【図２】
0005706242.tif 000003
【図３】
0005706242.tif 000004
【図４】
0005706242.tif 000005
【図５】
0005706242.tif 000006
【図６】
0005706242.tif 000007
【図７】
0005706242.tif 000008
【図８】
0005706242.tif 000009
【図９】
0005706242.tif 000010
【図１０】
0005706242.tif 000011
【図１１】
0005706242.tif 000012
【図１２】
0005706242.tif 000013
【図１３】
0005706242.tif 000014